(57)【要約】【課題】本発明は、刊行物の部分を自由に閲覧できるようになっている図書に添付されるディスクの抜き盗りを防止するディスク盗難防止ピースを提供する。【解決手段】ディスク盗難防止ピース５は、収納部２に納まるディスク２００の縁２０１に指を掛けるべく収納部２の外周縁２ａから外側に形成された切欠き部４を覆って取外し可能に装着される塞ぎ部材６と、塞ぎ部材６から収納部２の内側に向かって延びてディスク２００の縁２０１が収納部２から持ち上がる方向の動きを止める係止片７とを備える。【選択図】      図４
2005104564.tif 000002
【特許請求の範囲】
【請求項１】
収納部に納まるディスクの縁に指を掛けるべく前記収納部の外周縁に形成された切欠き部を覆って取外し可能に装着される塞ぎ部材と、
前記塞ぎ部材から前記収納部の内側に向かって延びて前記ディスクの縁が前記収納部から持ち上がる方向の動きを止める係止片と
を備えることを特徴とするディスク盗難防止ピース。
【請求項２】
前記塞ぎ部材は、前記切欠き部に内嵌する枠部と、この枠部の開口部を遮る塞ぎ板と、を備えることを特徴とする請求項１に記載のディスク盗難防止ピース。
【請求項３】
前記切欠き部から取除く開封操作中に摘まれる摘み部を前記塞ぎ部材の一部に備えることを特徴とする請求項２に記載のディスク盗難防止ピース。
【請求項４】
前記塞ぎ板は、２か所の傾転部で前記枠部の内周面に支持されることを特徴とする請求項３に記載のディスク盗難防止ピース。
【請求項５】
前記塞ぎ板の外周は、前記傾転部以外の少なくとも１か所の連結部で前記枠部と接続されており、開封操作によって前記連結部が破断されることを特徴とする請求項４に記載のディスク盗難防止ピース。
【請求項６】
前記摘み部は、前記傾転部を結ぶ揺動軸線を境に前記塞ぎ板の一方に設けられ、前記塞ぎ板の他方を押し込むことで前記枠部から突出することを特徴とする請求項４または請求項５に記載のディスク盗難防止ピース。
【請求項７】
前記塞ぎ板は、柔軟性を有し、前記摘み部から前記揺動軸線に近づくにつれて板厚が徐々に薄く形成されていることを特徴とする請求項６に記載のディスク盗難防止ピース。
【請求項８】
前記塞ぎ板は、外周の一端が前記摘み部と少なくとも１か所の連結部によって接続され、外周の他端が前記枠部の内周面と支持部によって固定されており、前記連結部は、開封操作によって破断されることを特徴とする請求項３に記載のディスク盗難防止ピース。
【請求項９】
ディスクの外形に合せて凹設された収納部と、
前記収納部の外周縁から中央に向かって突出して前記ディスクの縁と係合する保持爪と、
前記ディスクの縁に指を掛けるべく前記収納部の外周縁から外側に形成される切欠き部と、
前記切欠き部を覆って取外し可能に装着される塞ぎ部材と、
前記塞ぎ部材から前記収納部の内側に向かって延びて前記ディスクの縁が前記収納部から持ち上がる方向の動きを止める係止片と
を備えることを特徴とするディスクケース。
【請求項１０】
少なくとも１つの前記保持爪は、前記ディスクの半径方向に変位可能で内径方向に付勢されており、
前記切欠き部及び前記塞ぎ部材は、内径方向に付勢された前記保持爪に対して前記ディスクを介して押し戻す範囲に配置されることを特徴とする請求項９に記載のディスクケース。
【発明の詳細な説明】
【技術分野】
【０００１】
本発明は、ディスク形状の情報記録媒体をその収納部から容易に取外せなくするディスク盗難防止ピース、及びディスク盗難防止ピースが装着されたディスクケースに関する。
【背景技術】
【０００２】
コンパクトディスク（以降ＣＤとする）やデジタルビデオディスク（以降ＤＶＤとする）等、ディスク形状の情報記録媒体は、そのディスクに納められた情報に関連する説明などを記載した冊子とともに、専用のディスクケースに入れられ、透明なフィルムで包装されて販売されている。ディスクケースは、読取り面を好適に保護した状態でＣＤやＤＶＤを保管することができる。
【０００３】
また、パーソナルコンピュータのプログラムデータを収録したＣＤをその解説本に添付したり、写真集にその動画を収録したＤＶＤを添付したり、雑誌の付録としてＣＤやＤＶＤを添付したりする場合がある。このようなディスクを破損や盗難から守るため、本とともに製本される収納ケースがある（例えば、特許文献１参照。）。この収納ケースは、ディスクをボール紙の間に挟み込んでいる。最初にディスクを取り出す場合、ボール紙に設けられたミシン目に沿って切り裂いて開封する。
【特許文献１】特開平８−２５７２号公報
【発明の開示】
【発明が解決しようとする課題】
【０００４】
ディスクケースをフィルムで包装している場合、包装しているフィルムを破って開封しない限りディスクケースからディスクのみを抜き盗られるということはないが、ＣＤやＤＶＤを購入する前に、ディスクケースに入れられた冊子を閲覧することはできない。
【０００５】
また、本や雑誌などに製本される収納ケースは、ボール紙に設けられたミシン目に沿ってうまく開封されなかった場合、その後の見た目が悪くなる。また、紙面を捲り上げる方向に蓋部を起すので、開閉を繰り返すとボール紙に形が付いて蓋部の閉まりが悪くなり、ディスクの保護や保管の状態が悪くなる。
【０００６】
そこで、本発明は、刊行物の部分を自由に閲覧できるようになっている図書に添付されるディスクの抜き盗りを防止するディスク盗難防止ピース、及びこの盗難防止ピースを備えて店頭販売時に刊行物の部分を閲覧できるとともに購入後のディスクの保存を容易にするディスクケースを提供することを目的とする。
【課題を解決するための手段】
【０００７】
本発明に係るディスク盗難防止ピースは、収納部に納まるディスクの縁に指を掛けるべく収納部の外周縁に形成された切欠き部を覆って取外し可能に装着される塞ぎ部材と、塞ぎ部材から収納部の内側に向かって延びてディスクの縁が収納部から持ち上がる方向の動きを止める係止片とを備える。また、開封操作を行なわない限りディスク盗難防止ピースを切欠き部から容易に取外せないようにするために、塞ぎ部材は、切欠き部に内嵌する枠部と、この枠部の開口部を遮る塞ぎ板とを備える。ディスク盗難防止ピースを切欠き部から取外す開封操作を行ないやすくするために、開封操作中に摘まれる摘み部を塞ぎ部材の一部に備える。
【０００８】
開封操作を容易にするために、塞ぎ板は、２か所の傾転部で枠部に支持する。また、塞ぎ板の外周は、傾転部以外の少なくとも１か所の連結部で枠部と接続し、開封操作によって連結部が破断される構造にする。摘み部は、傾転部を結ぶ揺動軸線を境に塞ぎ板の一方に設けられ、塞ぎ板の他方を押し込むことで枠部から突出する。塞ぎ板は、柔軟性を有し、摘み部から揺動軸線に近づくにつれて板厚が徐々に薄く形成する。
【０００９】
または、塞ぎ板は、外周の一端が摘み部と少なくとも１つの連結部によって接続され、外周の他端が枠部の内周面と支持部によって固定されている。連結部は、開封操作によって破断される構造にする。
【００１０】
本発明に係るディスクケースは、ディスクの外形に合せて凹設された収納部と、収納部の外周縁から中央に向かって突出してディスクの縁と係合する保持爪と、ディスクの縁に指を掛けるべく収納部の外周縁から外側に形成される切欠き部と、切欠き部を覆って取外し可能に装着される塞ぎ部材と、塞ぎ部材から収納部の内側に向かって延びてディスクの縁が収納部から持ち上がる方向の動きを止める係止片とを備える。この場合、少なくとも１つの保持爪は、ディスクの半径方向に変位可能で内径方向に付勢されており、切欠き部及び塞ぎ部材は、内径方向に付勢された保持爪に対してディスクを介して押し戻す範囲に配置する。
【００１１】
または、本発明に係るディスクケースは、ディスクの外形に合せて凹設された収納部と、収納部に設けられてディスクの中央部に形成されたセンタホールと嵌合する保持凸部と、ディスクの縁に指を掛けるべく収納部の外周縁から外側に形成される切欠き部と、切欠き部を覆って取外し可能に装着される塞ぎ部材と、塞ぎ部材から収納部の内側に向かって延びてディスクの縁が収納部から持ち上がる方向の動きを止める係止片とを備える。
【発明の効果】
【００１２】
本発明に係るディスク盗難防止ピースによれば、ディスクに指を掛けるべくディスク収納部の外周縁に形成された切欠き部を塞ぎ部材によって覆ってしまうので、ディスクをディスク収納部から容易に取外すことができない。つまり、ディスクを抜き盗られることを防止することができる。また、摘み部を備えるので、ディスク盗難防止ピースを取除いて開封することを容易に行なえる。
【００１３】
塞ぎ部材は、枠部と塞ぎ板とを備えるので、ディスク盗難防止ピースが切欠き部にしっかりと固定されかつ開封操作を行なわない限り取外せない。塞ぎ板は、２か所の傾転部で枠部に支持されているので、傾転部を結ぶ揺動軸線を境に一方を押し込むと他方が容易に突出してくる。したがって、開封操作を行なう場合は、突出してくる側を摘み部としてディスク盗難防止ピースを切欠き部から取除くことで、容易に開封することができる。塞ぎ板は、傾転部以外の少なくとも１か所の連結部で接続されている。この連結部は、開封操作を行なうことによって切断されるので、不正行為が行なわれたかどうか判別しやすい。また、塞ぎ板は、柔軟性を有し、摘み部から揺動軸線に近づくにつれて板厚が徐々に薄く形成されているので、開封操作によって、摘み部を突出させた後、さらに立て起こし、摘み部を摘み易くすることができる。
【００１４】
また、本発明に係るディスクケースによれば、ディスクの縁に指を掛けるべく収納部の外周部に形成される切欠き部を覆って取外し可能に装着される塞ぎ部材と、この塞ぎ部材から収納部側に延びる係止片とを備えるディスク盗難防止ピースが装着されているので、ディスクを収納部から容易に取外すことができない。つまり、ディスクを抜き盗られることを防止することができる。したがって、刊行物とともに製本される場合、購入希望者は、刊行物の部分を自由に閲覧することができる。また、購入者は、開封操作によってディスク盗難防止ピースを取外すことで、ディスクを簡単に取り出せるようになるとともに、ディスクケースをディスクの保存場所として使用することができる。
【発明を実施するための最良の形態】
【００１５】
本発明に係る第１の実施形態のディスクケース１について、製本された図書１００の一部にディスクケース１が形成されている場合を例に、図１から図７を参照して説明する。図１に示すディスクケース１は、収納部２と保持爪３ａ，３ｂ，３ｃと切欠き部４とディスク盗難防止ピース５とを備えている。収納部２は、図書１００の表紙１０１の内側、いわゆる「表２」または「表３」に相当する紙面１０１ａ側から、ディスク２００の外形に合せて凹設されている。なお、第１の実施形態において、図書１００の表紙１０１は、ディスクケース１を内包する十分な厚さを有している。収納部２に入れられるディスク２００は、収録された情報を光学式読取り手段で読取られる円板状の情報記録媒体であって、具体的には、コンパクトディスク（ＣＤ）、シングルＣＤ、デジタルビデオディスク（ＤＶＤ）などである。
【００１６】
保持爪３ａ，３ｂ，３ｃは、収納部２の外周縁２ａから中央に向かって突出しており、収納部２に入れられたディスク２００の縁２０１と係合する。第１の実施形態では、保持爪３ａ，３ｂ，３ｃは、３か所設けられており、そのうちの１つの保持爪３ａは、半径方向に変位するとともに内径方向に付勢されている。これにより、ディスク２００は、収納部２にがたつき無く保持される。切欠き部４は、収納部２に納まったディスク２００の縁２０１に指を掛けるべく収納部２の外周縁２ａから外径方向に形成されている。
【００１７】
ディスク盗難防止ピース５は、図２に示すように、塞ぎ部材６と係止片７とを備え、図５から図７に示す一連の開封操作によって切欠き部４から取除かれる。塞ぎ部材６は、切欠き部４を覆って取外し可能に装着されている。係止片７は、塞ぎ部材６から収納部２の内側に向かって延びており、ディスク２００の縁２０１が収納部２から持ち上がる方向の動きを止めている。また、切欠き部４及びディスク盗難防止ピース５は、内径方向に付勢されている保持爪３ａに対してディスク２００を介して押し戻す位置に配置されている。
【００１８】
塞ぎ部材６は、枠部８と塞ぎ板９とを備える。枠部８は、切欠き部４の形状に沿って形成されている。枠部８の外周面８ａには、係止凸部８ｂが設けられており、この切欠き部４に内嵌する。塞ぎ板９は、図３に示すように表紙１０１の内側の紙面１０１ａ寄りで枠部８の開口部１０を遮って設けられている。塞ぎ板９は、ディスク２００の縁２０１に沿う方向の２か所に設けられている傾転部１１によって枠部８の内周面８ｃに支持されている。
【００１９】
２つの傾転部１１を結ぶ揺動軸線１２を境にディスク２００側には、摘み部１３が設けられている。塞ぎ板９の外周９ａにおいて、揺動軸線１２に対して摘み部１３と反対側の端部９ｂは、開封操作によって破断される連結部１４によって枠部８と接続されている。また、塞ぎ板９は、摘み部１３から揺動軸線１２に近づくにつれて板厚が徐々に薄く形成されている。
【００２０】
ディスク盗難防止ピース５を形成する材料は、開封操作によって傾転部１１がねじ切れたり塞ぎ板９に亀裂が走ったりしない程度に柔軟性（靱性）を有し、かつ、摘み部１３を摘んで引抜かなければ取除けない程度に剛性を有していることが好ましい。具体的には、ポリプロピレン、ポリスチレンにゴム性の樹脂を混合させたもの、ポリエチレン、ポリ塩化ビニル、塩化ビニル酢酸ビニル共重合体、ポリメチルメタアクリルレート、ポロメチルスチロール、ポリウレタン、ポリカーボネート、ポリオキシメチレン等を使用することができる。また、ディスク盗難防止ピース５は、射出成形で一体に成形するとより安価に作ることができる。
【００２１】
以上のように構成されたディスクケース１は、図４に示すように切欠き部４にディスク盗難防止ピース５が装着されているので、収納部２に収められたディスク２００の縁２０１に指を掛けることができない。また、半径方向に変位する保持爪３ａは、ディスク盗難防止ピース５によって外径方向に押し戻されており、撓み代が無い。したがって、ディスク２００を収納部２から取り出すことが難しい。また、このディスクケース１は、図書１００の表紙１０１の内側に設けられ、ディスク２００を収納部２から抜き盗り難くしているだけであるので、この状態で、図書１００を開いて中を自由に閲覧することができる。つまり、図書１００を閲覧することを妨げることなく、ディスク２００を抜き盗ることを防止することができる。
【００２２】
次に、ディスクケース１の開封操作について図４から図７を参照して説明する。図４に示す状態では、切欠き部４は、ディスク盗難防止ピース５によって完全に覆われており、ディスク２００の縁２０１に指を掛けることができない。図５に示すように、揺動軸線１２に対してディスク２００から遠い側の塞ぎ板９の端部９ｂを図９の矢印で示すように表紙１０１の板厚方向に指で押し込むと、連結部１４が破断され、傾転部１１を支点に塞ぎ板９が傾倒するとともに摘み部１３が枠部８から持ち上がる。持ち上がった摘み部１３を指でさらに図６に示すように立て起し、摘み部１３を指で摘んで図７に示すようにディスク盗難防止ピース５を切欠き部４から引抜く。
【００２３】
このように、図５から７に示した一連の開封操作は、片手で容易に行なえる。また、一度開封されると、連結部１４が破断されるので、未開封のものとの区別は、一目瞭然である。さらに、ディスク盗難防止ピース５は、残渣物を残すことなく切欠き部４から完全に取除かれるとともに、切欠き部４は、ディスク２００の縁２０１に指を掛けるために設けられる部分であるので、外観を損なうことが無い。そして、開封後においてもディスクケース１は、ディスク２００の保存場所としての機能を損なうことなく、ディスク２００を好ましい状態で保存することができる。
【００２４】
なお、第１の実施形態において、ディスク２００は、縁２０１が保持爪３ａ，３ｂ，３ｃで係止されて収納部２に保持されており、ディスク２００の中央に設けられているセンタホール２０２が、開口した状態になっている。そこで、開封するまでセンタホール２０２にも指を掛けられないように、取外し可能な封口板を取り付けても良い。
【００２５】
また、収納部２は、ディスク２００のセンタホール２０２に嵌合する保持凸部を中央部に備えてディスク２００を保持しても良い。この場合でも、ディスクケース１は、収納部２の外周縁２ａから外方向に設けられる切欠き部４にディスク盗難防止ピース５を取り付けることで、ディスク２００が抜き盗られることを防止することができる。摘み部１３は、揺動軸線１２よりもディスク２００から遠い側の塞ぎ板９の一部に設けても良い。この場合、揺動軸線１２よりもディスク２００に近い側の塞ぎ板９の端部を押し込むことで、摘み部が枠部８よりも持ち上がるので、これをさらに立て起こし、この摘み部を摘んで、ディスク盗難防止ピース５を切欠き部４から取外しても良い。
【００２６】
なお、摘み部１３は、当該部を摘んでディスク盗難防止ピース５を取除けるように塞ぎ部材６に形成されていれば、上述のように傾転部１１を結ぶ揺動軸線１２を中心に傾倒する塞ぎ板９以外の形状でも良い。例えば、枠部８に沿ってリングが設けられており、そのリングに指を掛けてディスク盗難防止ピース５を引抜いても良い。
【００２７】
本発明に係る第２の実施形態のディスク盗難防止ピース５について、図８を参照して説明する。なお、第１の実施形態で示したディスク盗難防止ピース５と同じ機能を有する構成については、同一の符号を付してその説明を省略する。図８に示すディスク盗難防止ピース５は、塞ぎ部材６を構成する枠部８の開口部１０を横切る桟状に摘み部１３を有している。摘み部１３に対してディスク２００側およびディスク２００から遠い側の開口部１０ａ，１０ｂには、それぞれ塞ぎ板２１，２２が設けられている。塞ぎ板２１，２２の外周２１ａ，２２ａと摘み部１３とは、連結部１４で接続されている。連結部１４と反対側の外周２１ａ，２２ａは、それぞれ枠部８の内周面８ｃに片持ちの支持部２３で固定されている。開封操作によって、塞ぎ板２１，２２を押し込むと連結部１４が破断され、摘み部１３を摘んでディスク盗難防止ピース５を切欠き部４から取外せるようになる。
【００２８】
本発明の係る第３の実施形態のディスク盗難防止ピース５について、図９を参照して説明する。なお、第１及び第２の実施形態で示したディスク盗難防止ピース５と同じ機能を有する構成については、同一の符号を付してその説明を省略する。図９に示すディスク盗難防止ピース５は、塞ぎ部材６を構成する枠部８において、ディスク２００から遠い側の内周縁からディスク２００側に向かって延びる膜状に摘み部１３が設けられている。塞ぎ板３１は、摘み部１３で塞がれた以外の開口部１０を塞ぐように設けられており、ディスク２００に近い側の外周３１ａが枠部８の内周面８ｃに片持ちの支持部３２で固定され、ディスク２００から遠い側の外周３１ａが摘み部１３と連結部１４によって接続されている。開封操作によって塞ぎ板３１を押し込むと連結部１４が破断されるので、摘み部１３に指を引掛けるようにしてディスク盗難防止ピース５を切欠き部４から取外すことができる。
【００２９】
なお、第１から第３の実施形態において、切欠き部４が複数か所設けられる場合は、それぞれの切欠き部４にディスク盗難防止ピース５を取り付ける。
【図面の簡単な説明】
【００３０】
【図１】本発明に係る一実施形態のディスクケースを示す斜視図。
【図２】図１のディスク盗難防止ピースを示す平面図。
【図３】図２中のＦ３−Ｆ３に沿って示すディスク盗難防止ピースの断面図。
【図４】図１のディスク盗難防止ピース及びその周辺を拡大して示す斜視図。
【図５】図４の状態のディスク盗難防止ピースから開封操作によって塞ぎ板の端部を押し込んだ状態を示す斜視図。
【図６】図５の状態のディスク盗難防止ピースからさらに摘み部を立て起した状態を示す斜視図。
【図７】図６の状態において立て起した摘み部を摘んでディスク盗難防止ピースを切欠き部から取外した状態を示す斜視図。
【図８】本発明に係る第２の実施形態のディスク盗難防止ピースを示す斜視図。
【図９】本発明に係る第３の実施形態のディスク盗難防止ピースを示す斜視図。
【符号の説明】
【００３１】
１…ディスクケース、２…収納部、２ａ…外周縁、３ａ，３ｂ，３ｃ…保持爪、４…切欠き部、５…ディスク盗難防止ピース、６…塞ぎ部材、７…係止片、８…枠部、９…塞ぎ板、９ａ…外周、１０，１０ａ，１０ｂ…開口部、１１…傾転部、１２…揺動軸線、１３…摘み部、１４…連結部、２１，２２…塞ぎ板、２１ａ，２２ａ…外周、３１…塞ぎ板、３１ａ…外周、２００…ディスク、２０１…縁。
【図１】
2005104564.tif 000003
【図２】
2005104564.tif 000004
【図３】
2005104564.tif 000005
【図４】
2005104564.tif 000006
【図５】
2005104564.tif 000007
【図６】
2005104564.tif 000008
【図７】
2005104564.tif 000009
【図８】
2005104564.tif 000010
【図９】
2005104564.tif 000011